(57)【要約】【課題】個人ウェブサイトにだれでも広告を易しく自動に掲示し、前記広告を利用して収益を創出するシステムと収益創出方法を提供する。【解決手段】インターネット上で会員加入する会員に情報提供サーバーと同一のドメインネームを有する個人ウェブサイトを提供し、この個人ウェブサイト情報を収集して、それぞれの個人ウェブサイトの特性に合う広告または記事を、個人ウェブサイトに自動に掲示する。これにより、個人ウェブサイトを運営する会員に収益を創出する。【選択図】図１
2007226787.tif 000002
【特許請求の範囲】
【請求項１】
広告または記事と広告料を提供する複数の広告主クライアントと、
前記広告または記事と連関性ある個人ウェブサイトを運営し、情報をクリックした回数によって広告料を受ける複数の会員クライアントと、
前記複数の会員クライアントのなかで、検索された任意の会員クライアントが運営する個人ウェブサイトに接続し、前記個人ウェブサイトに表示される広告または記事をクリックするインターネット使用者クライアントと、
前記広告主クライアントの広告または記事および広告料を受け、前記広告または記事と連関性ある複数の個人ウェブサイトに自動で前記広告または記事を登録し、前記広告または記事をクリックした回数によって広告料を前記会員クライアントに提供する情報提供サーバーと、
を含んでなることを特徴とする、個人ウェブサイトを利用した広告システム。
【請求項２】
前記情報提供サーバーは、
会員クライアントの個人身上情報と会員クライアントが運営する個人ウェブサイトの情報と広告主クライアントの広告または記事および広告料とインターネット使用者クライアントが個人ウェブサイトに登録された広告または記事をクリックした回数とを受信するデータ受信部と、
前記データ受信部から受信された会員の個人身上情報または会員が運営する個人ウェブサイトの情報が構築された個人情報ＤＢ、個人ウェブサイトを構築するためのウェブサイト構成要素ＤＢ、広告または記事を提供する広告と広告主の情報に対する広告主ＤＢ、個人ウェブサイトに表示される広告または記事をインターネット使用者のクリックした回数が記録された広告クリック数ＤＢ、および会員クライアントに組み込まれるプログラムＤＢからなるＤＢと、
前記ＤＢに構築されたＤＢを抽出して個人ウェブサイトを提供し、前記個人ウェブサイトに広告または記事を提供し、インターネット使用者クライアントに個人ウェブサイトを検索したリストを提供するアプリケーション部と、
前記ＤＢに構築されたプログラムＤＢを会員クライアントに提供するデータ伝送部と
を含んでなることを特徴とする、請求項１に記載の個人ウェブサイトを利用した広告システム。
【請求項３】
前記情報提供サーバーと個人ウェブサイトは同一のドメインネームを有することを特徴とする、請求項１に記載の個人ウェブサイトを利用した広告システム。
【請求項４】
前記情報提供サーバーは、会員クライアントが運営するウェブサイトの情報変更によって広告または記事を変更して前記ウェブサイトに伝送することを特徴とする、請求項１または２に記載の個人ウェブサイトを利用した広告システム。
【請求項５】
前記広告または記事は、個人ウェブサイトの特定の１フレームに表示されることを特徴とする、請求項４に記載の個人ウェブサイトを利用した広告システム。
【請求項６】
前記インターネット使用者クライアントは、個人ウェブサイトの動的ＩＰを利用して接続することを特徴とする、請求項１ないし３のいずれか１項に記載の個人ウェブサイトを利用した広告システム。
【請求項７】
前記インターネット使用者クライアントは、個人ウェブサイトのＵＲＬに直接接続することを特徴とする、請求項１に記載の個人ウェブサイトを利用した広告システム。
【請求項８】
前記アプリケーション部は、会員クライアントが運営する個人ウェブサイトの情報を収集し、個人ウェブサイト情報変更による新しい広告または記事を前記個人ウェブサイトに伝送するウェブクローラーと、インターネット使用者クライアントが入力した検索語による個人ウェブサイトを抽出する検索エンジンとを備えることを特徴とする、請求項２に記載の個人ウェブサイトを利用した広告システム。
【請求項９】
前記情報提供サーバーは、インターネット使用者クライアントが個人ウェブサイトに接続した回数によって、検索窓に表示される個人ウェブサイトの検索順位を変更することを特徴とする、請求項１または２に記載の個人ウェブサイトを利用した広告システム。
【請求項１０】
個人ウェブサイトを構成するためのプログラムを会員クライアントに組み込む段階と、
前記会員クライアントが情報提供サーバーから提供する個人ウェブサイトを運営し、前記個人ウェブサイトの情報を情報提供サーバーに伝送する段階と、
前記情報提供サーバーが個人ウェブサイトの情報をデータベース化する段階と、
前記情報提供サーバーが広告主クライアントから問い合わせた広告を分析してＤＢに伝送する段階と、
前記ＤＢに伝送されて保存された広告をその特性に合う個人ウェブサイトに伝送して掲示する段階と、
前記個人ウェブサイトを、インターネット使用者クライアントが情報提供サーバーに接続して検索する段階と、
前記検索された個人ウェブサイトのいずれか一つのウェブサイトを選択して接続する段階と、
前記接続したインターネット使用者クライアントが掲示された広告をクリックした後、情報提供サーバーを介して広告主ウェブサイトに移動する過程で、情報提供サーバーでクリック数を計数する段階と、
前記情報提供サーバーが、前記クリック回数によって、広告主クライアントから振り込まれた広告料の一部を会員クライアントに伝送する段階と、
を含んでなることを特徴とする、個人ウェブサイトを利用した広告システムによる収益創出方法。
【請求項１１】
前記会員クライアントに組み込む段階は、情報提供サーバーと会員クライアントが運営する個人ウェブサイトが同一のドメインネームを有するプログラムを組み込むことを特徴とする、請求項１０に記載の個人ウェブサイトを利用した広告システムによる収益創出方法。
【請求項１２】
前記個人ウェブサイトに伝送して掲示する段階は、個人ウェブサイトの情報が変更されれば、変更された情報に合う広告または記事を個人ウェブサイトに掲示することを特徴とする、請求項１０に記載の個人ウェブサイトを利用した広告システムによる収益創出方法。
【請求項１３】
前記個人ウェブサイトに伝送して掲示する段階は、情報提供サーバーが類似の特性を有する複数の個人ウェブサイトに掲示される広告または記事を一度の処理過程で同時に掲示することを特徴とする、請求項１２に記載の個人ウェブサイトを利用した広告システムによる収益創出方法。
【請求項１４】
前記広告または記事は、個人ウェブサイトの特定の１フレームに表示されることを特徴とする、請求項１０に記載の個人ウェブサイトを利用した広告システムによる収益創出方法。
【請求項１５】
前記いずれか一つのウェブサイトを選択して接続する段階は、個人ウェブサイトの動的ＩＰを利用して接続することを特徴とする、請求項１０に記載の個人ウェブサイトを利用した広告システムによる収益創出方法。
【請求項１６】
前記いずれか一つのウェブサイトを選択して接続する段階は、個人ウェブサイトのＵＲＬに直接接続することを特徴とする、請求項１０または１５に記載の個人ウェブサイトを利用した広告システムによる収益創出方法。
【発明の詳細な説明】
【技術分野】
【０００１】
本発明は個人ウェブサイトを利用した広告システムおよびそれによる収益創出方法に係り、より詳しくはインターネット上で会員加入する会員に情報提供サーバーと同一のドメインネームを有する個人ウェブサイトを提供し、前記個人ウェブサイト情報を収集して、それぞれの個人ウェブサイトの特性に合う広告または記事を個人ウェブサイトに自動に掲示することにより、個人ウェブサイトを運営する会員に収益を創出する個人ウェブサイトを利用した広告システムおよびそれによる収益創出方法に関するものである。
【背景技術】
【０００２】
従来、同一ドメインネームを有する個人ウェブサイトでは、個人の趣味生活、社交クラブ、専門知識クラブなどなどのようなサービスによって、写真、文章、動画などのデータを相互に交換していた。
しかし、このような従来技術は、単に情報交流のみを行っているだけ、収益創出に対する方法がなかったから、個人ウェブサイトを充実に作ろうとする動機の付与が低くなるしかなかった。
【０００３】
前記従来技術を克服するために個人ウェブサイトに広告を掲載して収益を創出する技法が開発されたが、個人ウェブサイトを管理するサーバーと前記広告を提供するサーバーが互いに分離されているから、個人ウェブサイトに広告を掲示することが難しく、その手続が複雑で自動化されていないから、当該分野の専門技術を持っていない者は容易に広告を掲示することができない問題点があった。
【０００４】
また、他の問題点は、現在大部分のポータルウェブサイトで提供する個人ウェブサイトの場合には、ウェブサーバーに対する接近権限がないから、当該分野の専門技術を持っている専門家であっても広告を掲示することができない問題点があった。
【０００５】
【特許文献１】韓国特許公開１０−２００１−００９７３６６
【特許文献２】韓国特許公開１０−２００６−０００８６７６
【発明の開示】
【発明が解決しようとする課題】
【０００６】
したがって、本発明は前記問題点を解決するためになされたもので、その目的は、個人ウェブサイトにだれでも広告を易しく自動に掲示し、前記広告を利用して収益を創出するシステムと収益創出方法を提供することにある。
【課題を解決するための手段】
【０００７】
前記目的を達成するための本発明の一実施例による個人ウェブサイトを利用した広告システムは、広告または記事と広告料を提供する複数の広告主クライアントと、前記広告または記事と連関性ある個人ウェブサイトを運営し、情報をクリックした回数によって広告料を受ける複数の会員クライアントと、前記複数の会員クライアントのなかで、検索された任意の会員クライアントが運営する個人ウェブサイトに接続し、前記個人ウェブサイトに表示される広告または記事をクリックするインターネット使用者クライアントと、前記広告主クライアントの広告または記事および広告料を受け、前記広告または記事と連関性ある複数の個人ウェブサイトに自動で前記広告または記事を登録し、前記広告または記事をクリックした回数によって広告料を前記会員クライアントに提供する情報提供サーバーと、を含むことを特徴とする。
【０００８】
前記情報提供サーバーは、会員クライアントの個人身上情報と会員クライアントが運営する個人ウェブサイトの情報と広告主クライアントの広告または記事および広告料とインターネット使用者クライアントが個人ウェブサイトに登録された広告または記事をクリックした回数とを受信するデータ受信部と、前記データ受信部から受信された会員の個人身上情報または会員が運営する個人ウェブサイトの情報が構築された個人情報ＤＢ、個人ウェブサイトを構築するためのウェブサイト構成要素ＤＢ、広告または記事を提供する広告と広告主の情報に対する広告主ＤＢ、個人ウェブサイトに表示される広告または記事をインターネット使用者のクリックした回数が記録された広告クリック数ＤＢ、および会員クライアントに組み込まれるプログラムＤＢからなるＤＢと、前記ＤＢに構築されたＤＢを抽出して個人ウェブサイトを提供し、前記個人ウェブサイトに広告または記事を提供し、インターネット使用者クライアントに個人ウェブサイトを検索したリストを提供するアプリケーション部と、前記ＤＢに構築されたプログラムＤＢを会員クライアントに提供するデータ伝送部と、を含んでなることができる。
【０００９】
前記情報提供サーバーと個人ウェブサイトは同一のドメインネームを有することができる。
前記情報提供サーバーは、会員クライアントが運営するウェブサイトの情報変更によって広告または記事を変更して前記ウェブサイトに伝送することができる。
前記広告または記事は、個人ウェブサイトの特定の１フレームに表示されることができる。
【００１０】
前記インターネット使用者クライアントは、個人ウェブサイトの動的ＩＰを利用して接続することができる。
前記インターネット使用者クライアントは、個人ウェブサイトのＵＲＬに直接接続することができる。
【００１１】
前記アプリケーション部は、会員クライアントが運営する個人ウェブサイトの情報を収集し、個人ウェブサイト情報変更による新しい広告または記事を前記個人ウェブサイトに伝送するウェブクローラーと、インターネット使用者クライアントが入力した検索語による個人ウェブサイトを抽出する検索エンジンとを備えることができる。
前記情報提供サーバーは、インターネット使用者クライアントが個人ウェブサイトに接続した回数によって、検索窓に表示される個人ウェブサイトの検索順位を変更することができる。
【００１２】
本発明のほかの実施例による個人ウェブサイトを利用した広告システムによる収益創出方法は、個人ウェブサイトを構成するためのプログラムを会員クライアントに組み込む段階と；前記会員クライアントが情報提供サーバーから提供する個人ウェブサイトを運営し、前記個人ウェブサイトの情報を情報提供サーバーに伝送する段階と；前記情報提供サーバーが個人ウェブサイトの情報をデータベース化する段階と；前記情報提供サーバーが広告主クライアントから問い合わせた広告を分析してＤＢに伝送する段階と；前記ＤＢに伝送されて保存された広告をその特性に合う個人ウェブサイトに伝送して掲示する段階と；前記個人ウェブサイトを、インターネット使用者クライアントが情報提供サーバーに接続して検索する段階と；前記検索された個人ウェブサイトのいずれか一つのウェブサイトを選択して接続する段階と；前記接続したインターネット使用者クライアントが掲示された広告をクリックした後、情報提供サーバーを介して広告主ウェブサイトに移動する過程で、情報提供サーバーでクリック数を計数する段階と；前記情報提供サーバーが、前記クリック回数によって、広告主クライアントから振り込まれた広告料の一部を会員クライアントに伝送する段階と；を含んでなることを特徴とする。
【００１３】
前記会員クライアントに組み込む段階は、情報提供サーバーと会員クライアントが運営する個人ウェブサイトが同一のドメインネームを有するプログラムを組み込むことができる。
前記個人ウェブサイトに伝送して掲示する段階は、個人ウェブサイトの情報が変更されれば、変更された情報に合う広告または記事を個人ウェブサイトに掲示することができる。
前記個人ウェブサイトに伝送して掲示する段階は、情報提供サーバーが類似の特性を有する複数の個人ウェブサイトに掲示される広告または記事を一度の処理過程で同時に掲示することができる。
【００１４】
前記広告または記事は、個人ウェブサイトの特定の１フレームに表示されることができる。
前記いずれか一つのウェブサイトを選択して接続する段階は、個人ウェブサイトの動的ＩＰを利用して接続することができる。
前記いずれか一つのウェブサイトを選択して接続する段階は、個人ウェブサイトのＵＲＬに直接接続することができる。
【発明の効果】
【００１５】
以上説明したように、本発明は個人ウェブサイトの多様なウェブページの一定空間を割り当て、広告を自動で掲載して新しい収益を創出し、これにより、個人ウェブサイトを運営する人が自分のウェブサイトを充実に管理することができる効果がある。
【発明を実施するための最良の形態】
【００１６】
以下、添付図面に基づいて、本発明の好適な実施例を詳細に説明する。
図１は、本発明による個人ウェブサイトを利用した広告システムのブロック図である。本発明の広告システムは、複数の広告主クライアント１００と、複数の会員クライアント２００と、複数のインターネット使用者クライアント３００と、情報提供サーバー４００とから構成される。この広告システムは、インターネット使用者に個人ウェブサイトを提供し、前記個人ウェブサイトの特性に合う種類の広告または記事を提供する。そして、前記広告または記事を提供した広告主の広告料を、個人ウェブサイトを運営する会員に一定の割合で提供して収益を創出する。特に、状況によって、インターネット使用者クライアント３００が本発明の会員クライアント２００になることができ、あるいは前記会員クライアント２００がインターネット使用者クライアント３００になることができる。
【００１７】
より詳細には、前記広告主クライアント１００は、情報提供サーバー４００に広告または記事を提供し、広告または記事の提供による広告料を支払う。さらに、前記広告主クライアント１００が提供する広告または記事は、情報提供サーバー１００が会員クライアント２００に提供する個人ウェブサイトの一つの特定フレームに自動に表示される。特に、前記広告料はオンライン決済手段を使用して支払う。
【００１８】
前記会員クライアント２００は、情報提供サーバー４００で管理している個人ウェブサイトを受け、このように受けたウェブサイトを会員の特性に応じて、図２に示すように製作する。そして、会員の特性に応じて製作された個人ウェブサイトの任意の一部分に、ウェブサイトの特性に合う広告または記事を情報提供サーバー４００から受信して自動に掲示する。すなわち、情報提供サーバー４００が複数の広告主クライアント１００から受けた広告をデータベース化し、データベース化した広告または記事のなかで、個人ウェブサイトの特性に合う広告または記事を個人ウェブサイトに自動で伝送してから掲示する。特に、個人ウェブサイトは、ウェブサイトの情報を一定時間ごとに情報提供サーバー４００に伝送する。このような過程の実行は、情報提供サーバー４００に構築されたアプリケーション部４３０のウェブクローラーが行う。
【００１９】
したがって、会員クライアント２００で運営される個人ウェブサイトの情報が変更されれば、個人ウェブサイトに掲示される広告または記事も自動に変更されて掲示される。
さらに、会員クライアント２００は、会員が個性的に製作した個人ウェブサイトに情報提供サーバー４００から伝送された広告または記事を掲載するが、インターネット使用者クライアント３００が動的ＩＰでこの掲載された広告または記事を接続してクリックすれば、広告または記事のＵＲＬに直接進まず、本発明の情報提供サーバー４００を介して前記広告または記事のＵＲＬに進むようにする。そして、情報提供サーバー４００でインターネット使用者クライアント３００によってクリックされた回数が計数される。
【００２０】
また、前記インターネット使用者クライアント３００は、情報提供サーバー４００に接続して検索語を入力する。これにより、情報提供サーバー４００に構築されたアプリケーション部４３０の検索エンジンが駆動される。そして、この駆動された検索エンジンは、図３に示すように、前記検索語に当たる個人ウェブサイトのリストを出力する。前記出力されたリストは、情報提供サーバー４００と同一のドメインネームを有する。また、前記出力されたリストのなかで、インターネット使用者クライアント３００は、所望の個人ウェブサイトを選択して動的ＩＰで接続する。さらに、インターネット使用者クライアント３００で、ウェブブラウザーのアドレス欄に、直接会員クライアント２００が運営する個人ウェブサイトのアドレスを入力すれば、前記個人ウェブサイトアドレスに移動する。
【００２１】
一方、前述したように、複数のインターネット使用者クライアント３００が個人ウェブサイトに登録された広告または記事をクリックした回数によって会員クライアント２００が広告料を受ける。
【００２２】
また、前記情報提供サーバー４００は、図４に示すように、データ受信部４１０と、ＤＢ４２０と、アプリケーション部４３０と、データ伝送部４４０とから構成される。この情報提供サーバー４００は、会員クライアント２００に個人ウェブサイトを提供し、前記個人ウェブサイトの特定の１フレームに個人ウェブサイトの特性に合う広告主クライアント１００の広告または記事を掲示する。そして、この掲示された広告または記事を個人ウェブサイトに広告する代価として、広告料を広告主クライアント１００から受け、個人ウェブサイト運営者に前記広告料の一部を支給する。また、前記情報提供サーバー４００は、インターネット使用者クライアント３００が個人ウェブサイトに接続した回数によって、検索窓に表示される個人ウェブサイトの検索順位を変更する。
【００２３】
より具体的に、情報提供サーバー４００の前記データ受信部４１０は、個人ウェブサイトを活用するために、使用者の個人情報を会員クライアント２００から受信してＤＢ４２０に伝送する。また、情報提供サーバー４００から会員クライアント２００に提供する個人ウェブサイト情報を随時収集することで、個人ウェブサイトに対するＤＢ４２０を更新するようにする。この際に、ＤＢ４２０の更新はウェブクローラーが行う。すなわち、会員によって個人ウェブサイトの情報が変更されれば、前記ウェブクローラーは、変更された情報を収集してＤＢ４２０に構築し、変更された情報による広告または記事を伝送して掲示する。
【００２４】
例えば、任意の個人ウェブサイトを運営する会員がゴルフ商取引の個人ウェブサイトを運営していて、音楽商取引の個人ウェブサイトに変更すれば、ゴルフ関連広告または記事から音楽関連広告または記事に変更される。
【００２５】
前記個人情報は、個人の人的事項だけでなく、運営する個人ウェブサイトの特性を含む。したがって、旅行関連個人ウェブサイトを運営する会員クライアント２００が旅先、旅先による準備事項、交通手段、観光地などに関する情報をアップデートすれば、前記アップデートされた情報が情報提供サーバー４００のＤＢ４２０に更新されて登録される。
また、前記データ受信部４１０は、広告主クライアント１００から広告と広告料を受信する。
【００２６】
特に、インターネット使用者クライアント３００が会員クライアント２００によって運営される個人ウェブサイトに掲示された広告または記事をクリックすれば、クリックした回数を情報提供サーバー４００が受信する。前記クリックした回数は広告料支払いの判断基準になる。
【００２７】
前記情報提供サーバー４００のＤＢ４２０は、プログラムＤＢ、個人情報ＤＢ、ウェブサイト構成要素ＤＢ、広告主ＤＢ、および広告クリック数ＤＢを含む。より具体的に示すと、前記プログラムＤＢは、固定ＩＰアドレスとドネサービス（ドメインサービスの誤りか？）が利用できないインターネット使用者に本発明サービスを提供するために、会員クライアント３００に組み込まれるプログラムである。また、前記個人情報ＤＢは、情報提供サーバー４００のデータ受信部４１０から会員の個人身上情報または会員が運営する個人ウェブサイトの情報を受信して構築したものである。また、前記ウェブサイト構成要素ＤＢは、個人ウェブサイトを構築するためのＤＢであり、前記広告主ＤＢは、広告を提供する広告と広告主の情報に対するＤＢである。前記広告クリック数ＤＢは、個人ウェブサイトに表示される広告をインターネット使用者がクリックした回数が記録されたＤＢである。
【００２８】
前記情報提供サーバー４００のアプリケーション部４３０は個人ウェブサイトを会員クライアント２００に提供する。この際、前記個人ウェブサイトが会員によって個性的に製作されたものであるので、前記個人ウェブサイトの特性と連関性ある広告または記事が個人ウェブサイトの一部分に掲示されるようにする。また、連関性がある複数の個人ウェブサイトに掲示される広告または記事を同時に自動に掲示する。
【００２９】
特に、インターネット使用者クライアント３００が個人ウェブサイトに動的ＩＰで接続して前記広告または記事をクリックすれば、広告または記事のＵＲＬに直接進まず、情報提供サーバー４００に進むようにする。そして、クリック回数を計数した後、広告または記事のＵＲＬに進む。
さらに、アプリケーション部４３０には、ウェブクローラーと検索エンジンが備えられている。前記ウェブクローラーは、個人ウェブサイトの情報を随時収集し、収集された情報に基づき、個人ウェブサイトの広告または記事が表示されるフレームに適した広告または記事を自動に掲示する。
【００３０】
前記検索エンジンは、インターネット使用者クライアント３００が情報提供サーバー４００に接続して所望の検索語を入力すれば、検索語と連関性ある個人ウェブサイトリストを並べる。すなわち、従来のポータルサイト検索窓がポータルサイトで運営していない多いウェブサイトを並べているものであるに対し、本発明では検索語を入力すれば情報提供サーバー４００とドメインネームが同じで、検索語と連関性ある個人ウェブサイトが並ぶようになる。
【００３１】
一方、アプリケーション部４３０は、広告主クライアント１００から伝送された広告の特性を分析し、連関性ある広告をデータベース化してＤＢ４２０に伝送する。
前記情報提供サーバー４００のデータ伝送部４４０は、ＤＢ４２０に構築されたプログラムＤＢを会員クライアント２００に伝送する。前記プログラムは会員クライアント２００がウェブサーバーになるためのプログラムで、個人ウェブサイトを構成するためのデータとプログラムであり、かつ情報提供サーバー４００と通信できるようにするプログラムである。よって、前記プログラムが会員クライアント２００に組み込まれて、本発明が実行される。
【００３２】
以上説明した情報提供サーバー４００は、個人ウェブサイトと同一のドメインネームを有する。
図５は、本発明による個人ウェブサイトを利用して広告するシステムを利用した収益創出方法を示すフローチャートである。同図に示すように、前記収益創出方法は、個人ウェブサイトを構成するためのプログラムを会員クライアントに組み込む段階（Ｓ１０）と、前記会員クライアントが情報提供サーバーから提供する個人ウェブサイトを運営し、前記個人ウェブサイトの情報を情報提供サーバーに伝送する段階（Ｓ２０）と、前記情報提供サーバーが個人ウェブサイトの情報をデータベース化する段階（Ｓ３０）と、前記情報提供サーバーが広告主クライアントから問い合わせた広告を分析してＤＢに伝送する段階（Ｓ４０）と、前記ＤＢに伝送されて保存された広告を、特性に合う個人ウェブサイトに伝送して掲示する段階（Ｓ５０）と、前記個人ウェブサイトを、インターネット使用者クライアントが情報提供サーバーに接続して検索する段階（Ｓ６０）と、前記検索された個人ウェブサイトのいずれか一つのウェブサイトを選択して接続する段階（Ｓ７０）と、前記接続したインターネット使用者クライアントが掲示された広告をクリックした後、情報提供サーバーを介して広告主ウェブサイトに移動する過程で、情報提供サーバーでクリック数を計数する段階（Ｓ８０）と、前記情報提供サーバーでのクリック回数によって、広告主クライアントから振り込まれた広告料の一部を会員クライアントに伝送する段階（Ｓ９０）とを含む。
【００３３】
より具体的に、個人ウェブサイトを構成するためのプログラムを会員クライアントに組み込む段階（Ｓ１０）では、情報提供サーバー４００と会員クライアント２００が運営する個人ウェブサイトが同一ドメインネームを有するプログラムが組み込まれる。そして、前記会員クライアント２００が、情報提供サーバー４００の会員になり、前記プログラムを情報提供サーバー４００から受けることで、会員クライアント２００に個人ウェブサイトが構築される。
【００３４】
前記会員クライアントが情報提供サーバーから提供する個人ウェブサイトを運営し、前記個人ウェブサイトの情報が情報提供サーバーに伝送される段階（Ｓ２０）では、Ｓ１０段階で組み込まれたプログラムによって、情報提供サーバー４００から提供する個人ウェブサイトを会員クライアント２００が運営する。この結果、個人ウェブサイト運営による情報を情報提供サーバー４００に構築されたアプリケーション部４３０のウェブクローラーが収集する。
前記情報提供サーバーが個人ウェブサイトの情報をデータベース化する段階（Ｓ３０）では、前記Ｓ２０段階でウェブクローラーが個人ウェブサイト情報を収集し、それぞれの個人ウェブサイト特性に合う広告または記事を個人ウェブサイトの特定の一部分に掲示するために、個人ウェブサイトをデータベース化する。
【００３５】
前記情報提供サーバーが広告主クライアントから問い合わせた広告を分析してＤＢに伝送する段階（Ｓ４０）では、前記Ｓ３０段階の後、情報提供サーバー４００が、個人ウェブサイト情報と、複数の広告主クライアント１００から問い合わせた広告または記事とが互いに連関性を有するかを分析する。すなわち、個人ウェブサイト特性に合う広告または記事を個人ウェブサイトに掲示するために、分析しデータベース化してＤＢ４２０に伝送する。
【００３６】
前記ＤＢに伝送されて保存された広告を特性に合う個人ウェブサイトに伝送して掲示する段階（Ｓ５０）では、前記Ｓ４０段階で分析し、個人ウェブサイト特性に合う広告または記事を、個人ウェブサイトの特定の１フレームに表示するために伝送して掲示する。
例えば、任意の会員が旅行関連の個人ウェブサイトを運営していて、ゴルフ関連の個人ウェブサイトに変更して運営すれば、ウェブクローラーが旅行関連の個人ウェブサイト情報をゴルフ関連の個人ウェブサイト情報に変更した情報を収集する。このように、ウェブクローラーは随時個人ウェブサイト情報を収集することによって、会員が運営する個人情報の特性を把握する。
【００３７】
特に、個人ウェブサイトは、情報提供サーバー４００と同一のドメインネームを有し、かつ情報提供サーバー４００で管理されるので、類似の特性を有する複数の個人ウェブサイトに掲示される広告または記事を一度の処理過程で同時に掲示する。すなわち、図３に示すように、ａｂｃ、ｍｅ、ｃは会員のＩＤであり、ｅ＃ｗｏｒｌｄ．ｃｏｍはドメインネームである。ここで、ドメインネーム（ｅ＃ｗｏｒｌｄ．ｃｏｍ）は、情報提供サーバー４００のドメインネームと同一であるので、前記ａｂｃ、ｍｅ、ｃが類似の特性を有する個人ウェブサイトである場合であれば、前記個人ウェブサイトに適した広告を一度に全て伝送することができる。
また、会員ａｂｃ、ｍｅ、ｃは、ドメインネームが同じで、情報提供サーバー４００の会員であるので、個人ウェブサイトの情報が変更されれば、変更された情報に合う広告または記事を個人ウェブサイトに掲示する。
【００３８】
前記個人ウェブサイトを、インターネット使用者クライアントが情報提供サーバーに接続して検索する段階（Ｓ６０）では、前記Ｓ５０段階で情報提供サーバー４００が個人ウェブサイトに広告または記事を掲示すれば、インターネット使用者クライアントが所望の個人ウェブサイトに訪問するためにキーワードを入力する。これにより、情報提供サーバー４００のＤＢに構築された個人ウェブサイトが並ぶことになる。
【００３９】
前記検索された個人ウェブサイトのいずれか一つのウェブサイトを選択して接続する段階（Ｓ７０）では、前記Ｓ６０段階で検索されて並んだ個人ウェブサイトのなかで、インターネット使用者クライアント３００が特定の一つのウェブサイトを選択して動的ＩＰで接続する。特に、前記動的ＩＰ接続のほかに、ウェブブラウザーのアドレス欄に個人ウェブサイトのＵＲＬを直接入力して接続することが望ましい。
【００４０】
前記接続したインターネット使用者クライアントが掲示された広告をクリックした後、情報提供サーバーを介して広告主ウェブサイトに移動する過程で、情報提供サーバーでクリック数を計数する段階（Ｓ８０）では、複数のインターネット使用者クライアント３００が個人ウェブサイトに掲示された複数の広告のいずれか一つの広告をクリックすれば、情報提供サーバー４００を介して広告主ウェブサイトに移動する。そして、情報提供サーバー４００でクリックされた回数が計数される。
【００４１】
また、前記情報提供サーバーがクリック回数によって広告主クライアントから振り込まれた広告料の一部を会員クライアントに伝送する段階（Ｓ９０）では、前記Ｓ８０段階で広告主クライアント１００から受けた広告料の一部をクリック回数によって配分し、個人ウェブサイトを運営する会員クライアント２００に支払う。
【００４２】
以上本発明について詳細に説明したが、本発明で開示した実施例は例示的なものであり、本発明は、ここで説明した実施例に限定されるものではない。すなわち、本発明は、特許請求範囲によって決定される本発明の技術的思想および分野を逸脱しない範囲内で、多様に変更可能なものである。
【産業上の利用可能性】
【００４３】
本発明は、個人ウェブサイトにだれでも広告を易しく自動に掲示し、前記広告を利用して収益を創出するシステムと収益創出方法に適用可能である。
【図面の簡単な説明】
【００４４】
【図１】本発明による個人ウェブサイトを利用した広告システムのブロック図である。
【図２】本発明による情報提供サーバーで運営される個人ウェブサイトの例示図である。
【図３】本発明による個人ウェブサイト検索結果の例示図である。
【図４】本発明の図１による情報提供サーバーのブロック図である。
【図５】本発明による個人ウェブサイトを利用した広告システムによる収益創出方法を示すフローチャートである。
【符号の説明】
【００４５】
１００・・・広告主クライアント、２００・・・会員クライアント、３００・・・インターネット使用者クライアント、４００・・・情報提供サーバー、４１０・・・データ受信部、４２０・・・ＤＢ（データベース）、４３０・・・アプリケーション部、４４０・・・データ伝送部
【図１】
2007226787.tif 000003
【図２】
2007226787.tif 000004
【図３】
2007226787.tif 000005
【図４】
2007226787.tif 000006
【図５】
2007226787.tif 000007